(57)【要約】【課題】  キーホルダーなどの吊り下げアクセサリーを吊した状態で展示することができ、かつ低コストな展示用フレームを得ることを課題とするものである。【解決手段】  この考案の吊り下げアクセサリーの展示用フレームは、背面部２と周囲を囲う枠体１と、この枠体１の前面側に装着される透視部を備えた前面部３とを備え、枠部の上側部分に吊り下げアクセサリーの吊り下げ具を固定するための固定部６を形成して構成して、上記課題を解決するものである。【選択図】  図１
0003215969.tif 000002
【実用新案登録請求の範囲】
【請求項１】
背面部と周囲を囲う枠体と、この枠体の前面側に装着される透視部を備えた前面部とを備え、枠部の上側部分に吊り下げアクセサリーの吊り下げ具を固定するるための固定部が形成された、吊り下げアクセサリーの展示用フレーム。
【請求項２】
固定部は、吊り下げアクセサリーの吊り下げ具が挿通できると共に、吊り下げアクセサリーの落下が阻止できる大きさの貫通部とした、請求項１に記載の吊り下げアクセサリーの展示用フレーム。
【請求項３】
枠部は柔軟な合成樹脂製とした、請求項１又は２に記載の吊り下げアクセサリーの展示用フレーム。
【請求項４】
貫通部は複数設けられた、請求項２又は３に記載の吊り下げアクセサリーの展示用フレーム。
【請求項５】
背面部の内側面側に絵柄が表された、請求項１ないし４の何れかに記載の吊り下げアクセサリーの展示用フレーム。
【考案の詳細な説明】
【技術分野】
【０００１】
この考案は、吊り下げアクセサリーの展示用フレームに関するものである。ここで、吊り下げアクセサリーとは、主として、キーホルダー及び携帯電話やスマートフォンに使用するストラップを意味するものである。
【背景技術】
【０００２】
従来から、背面部と周囲を囲う枠部と、この枠部の前面側に着脱自在に装着される透視部を備えた前面部とを備えた、展示用のフレームないし額縁は提案されている。
【先行技術文献】
【特許文献】
【０００３】
特開２０１１−１１５５７５
【考案の概要】
【考案が解決しようとする課題】
【０００４】
近年、キーホルダーなどの保有者に、キーホルダーを傷つけずに、かつ鑑賞できる状態で保管したいという要求がある。従来の展示用フレームは、キーホルダーなどの吊り下げアクセサリーを、吊り下げた状態で展示することへの配慮はない。
また、ネックレスやペンダントなどの装身具の保管箱として、前面をガラス張りとしたものがある。このような保管箱はネックレスなどを吊した状態で保管するための係止具が設けられているものもあるが、係止具を設けると保管箱は大型にならざるを得ず、またコストもかかる。
【０００５】
この考案は、キーホルダーなどの吊り下げアクセサリーを吊した状態で展示することができ、かつ低コストな展示用フレームを得ることを課題とするものである。
【課題を解決するための手段】
【０００６】
この考案の吊り下げアクセサリーの展示用フレームは、背面部と周囲を囲う枠部と、この枠部の前面側に着脱自在に装着される透視部を備えた前面部とを備え、枠部の上側部分に吊り下げアクセサリーの吊り下げ具を固定するための固定部を形成して構成して、上記課題を解決するものである。
前記固定部は、実施例に示すように、吊り下げアクセサリーの吊り下げ具が挿通できると共に、吊り下げアクセサリーの落下が阻止できる大きさの貫通部とするほか、上側の枠の下面にフックを取り付けて構成してもよい。
【０００７】
前記枠部は柔軟な合成樹脂製の他、プラスチックや金属等の硬質な素材も使用できる。
前記貫通部は、一つでもよいが、複数設けて複数のアクセサリーを展示可能とすることもできる。また、背面部の内側面に絵柄を表わし、この絵柄とキーホルダーの絵柄や模様との組み合わせで、一つの世界を構成して展示効果を高めることもできる。
【０００８】
形状は、以下の実施例では扁平直方体のものを示すが、直方体に限られるものではない。机上に立てた状態で載置することのできる、正面視三角形、多角形、下側を平面とした円形状などの他、立てるためのスタンド等を併用する場合は、この考案のフレーム自体が自立できる必要はない。
【０００９】
大きさは、一つの吊り下げアクセサリーが収納できることが条件であり、それ以上の大きさであることに限定はない。後に述べるように、キーホルダーの収納時にはキーホルダーのキー装着部がこのホルダーの外に飛び出しているので、一つの吊り下げアクセサリーに対応する大きさとした場合、このホルダーに収納したままでキーホルダーとして使用することもできる。
【００１０】
固定部は、吊り下げ用のフックや貫通部とする。貫通部は、キーホルダーを収納するためには実施例に示すような直線スリットが好適である。枠部は柔軟な合成樹脂製とすれば、キーホルダーのキー装着部よりも若干小さなスリットをキー装着部は通過することができ、通過後はスリット部分に係止して落下することがない。
ストラップを収納する場合は、平面視円形、楕円形、方形とすることも考えられる。
【００１１】
透視部は、実施例に示すように、透明な板を用いるのが一般的であるが、レンズを用いることもできる。レンズにより収納物が拡大され、鑑賞性を高めることもできる。
【考案の効果】
【００１２】
この考案によれば、キーホルダーやストラップなどの吊り下げアクセサリーを、固定部を利用してフレームに吊した状態で収納することができる。したがって、キーホルダーなどの破損や汚損を防止しつつ保管でき、かつ鑑賞することもできる。
【図面の簡単な説明】
【００１３】
【図１】この考案実施例１の分解斜視図
【図２】同じく枠体の斜視図
【図３】同じく使用状態の斜視図
【図４】この考案実施例２の斜視図
【図５】同じく使用状態の斜視図
【図６】この考案実施例３の斜視図
【図７】この考案実施例４の枠体の背面側斜視図
【考案を実施するための最良の形態】
【００１４】
以下この考案の実施例を説明する。
【実施例１】
【００１５】
図１はこの考案実施例１フレームの分解斜視図である。すなわち、正面視縦長長方形の枠体１と、この枠体１の背面側に装着される背面板２と、枠体１の正面側に装着される前面板３とで構成してある。
【００１６】
前記枠体１はシリコーン等の柔軟な合成樹脂製であって、縦９センチ、横７センチ、奥行き１センチとしてある。
この枠体１の内周には、背面側に前記背面板２が装着される溝４が、前面側に前記前面板３が装着される溝５が設けてある。そして、枠体１の上面中央部に、貫通部６が設けてある。この貫通部６は長さ３センチ、幅２ミリ程度のスリットとしてある。
【００１７】
前記背面板２の正面側には絵柄７が表してある。また、前面板３は透明板であり、その一部に前記背面板の絵柄に対応する絵柄８が表してある。
【００１８】
図３はキーホルダー１０を収納した状態を示すものである。
キーホルダー１０を収納するときは、前面板３を取り外し、キーホルダー１０のキー装着部１１をスリットである貫通部６を通して外部に導く。このとき枠体１は柔軟であるから、変形して、スリットよりも大きいキー装着部１１の通過を許容する。
その後前面板３を装着してフレームを立てて机上などに載置する。このとき、キーホルダーのキー装着部１１は貫通部を通過することができないので、キーホルダー１０は吊り下げられた状態を維持する。
【実施例２】
【００１９】
図４は、実施例１と異なり貫通部６が、幅のない切断部としてある。この構造により、細い紐である吊り下げ部１２に飾り物をつなげたスマートフォン用のストラップ１３に対応することができる。すなわち、ストラップの紐１２は切断部の両脇から弾性のある合成樹脂製のフレームで押さえられ、吊り下げ部１２は落下しない。
【実施例３】
【００２０】
図６は複数のキーホルダー又はストラップを収納できるようにしたものであり、貫通部８を複数（図では３つ）設けてある。貫通部の形状は収納する対象物に対応して適宜選定する。
【実施例４】
【００２１】
図７は硬質素材で枠体１５を構成したものである。
枠体１５は、上方に開口した枠本体１５ａと、枠本体１５ａの上方開口部に被さる蓋体１５ｂとで構成してあり、蓋体１５ｂの中央部に、天板の中心から背面に連続するスリットである貫通部６が設けてある。図中符号４，５は背面板及び前面板を装着する溝であり、上端まで連続し、背面板、前面板を上方から出し入れできるようにしてある。
【００２２】
この実施例においては、蓋体１５ｂを取り外し、蓋体のスリットにキーホルダーなどの吊り下げ部を挿入した後、蓋体１５ｂを枠本体１５ａに被せて使用する。
【産業上の利用可能性】
【００２３】
この考案によれば、キーホルダーやスマートフォン用のストラップを、吊り下げた状態で保管することができる。そのために、単に収納物の損傷を防止するのみでなく、鑑賞用に利用することができるものであって、産業状の利用可能性を有するものである。
【符号の説明】
【００２４】
１    枠体
２    背面板
３    前面板
４    溝
５    溝
６    貫通部
７    絵柄
８    絵柄
１０  キーホルダー
１１  キー装着部
１２  吊り下げ部
１３  ストラップ
１５  枠体
１５ａ  枠本体
１５ｂ  蓋体
【図１】
0003215969.tif 000003
【図２】
0003215969.tif 000004
【図３】
0003215969.tif 000005
【図４】
0003215969.tif 000006
【図５】
0003215969.tif 000007
【図６】
0003215969.tif 000008
【図７】
0003215969.tif 000009